(57)【特許請求の範囲】
【請求項１】
リサイクル及び再使用のために界面活性剤含有水性溶液から界面活性剤製剤を回収する方法であって、当該溶液を限外濾過することを含んで成り、限外濾過される上記溶液のための界面活性剤として次式：
0004047380.tif 000016
｛式中、Rはアルキル、アルキルアリールアルキル、アリールアルキル、アルキルアミノアルキル及びそのスルホン化誘導体、アルキルアミドアルキル又はアルコキシアルキルの基から選択され（ここで、アルキル基は１〜22個の炭素原子を含有し、アリール基は２個以下の縮合環であり、アルコキシ基は４〜18個の炭素原子を含有する）、ここでＲ基の全炭素原子含量は22個以下であり、式Ｉ中のＲはさらに、
R7−CH(OH)CH2−Q−
〔式中、R7は４〜18個の炭素原子を有するアルキル、アリール又はアルキルアリール基、あるいはアルコキシメチレン（ここでアルコキシ基は４〜８個の炭素原子を含有する）から選択され；Qは共有結合であるか又は：
0004047380.tif 000017
（式中、R8は水素又は−CH2CH(OH)CH2SO3M（ここでMは水素又はアルカリ金属陽イオンである）であり、ｎは０又は１であり、Ｘは水素又は電子供与基である）である〕
であることができ；
R1及びR2は別々に１〜６個の炭素原子を有するアルキル及びそのヒドロキシ置換誘導体又はヒドロキシポリオキシエチレン、ポリオキシプロピレン、又は20個以下のエーテル結合を有するEO及びPOの混合ポリエーテルポリマーを表すか；あるいはR1及びR2は、窒素原子と一緒にモルホリン又はチオモルホリン環を形成するために、一緒になって−CH2CH2OCH2CH2−又は−CH2CH2SCH2CH2−であり；
R3は１〜４個の炭素原子を有するアルキル又はヒドロキシ置換アルキル基を表し；
R4はR6OH、R5YM、又は水素を表し；
R5及びR6は別々に１〜４個の炭素原子を有するアルキル又はヒドロキシ置換アルキルを表し；ＹはCOO-又はSO3-を表し；Ｍは水素及び／又はアルカリ金属を表し、ｘは１又２である}
の表面活性有効量の１つ又はそれ以上の界面活性剤、あるいはそれらの混合物又はその他の界面活性剤との混合物を用いることを特徴とする方法。
【請求項２】
上記水性溶液が0.1〜40活性重量％の上記界面活性剤を含む請求項１記載の方法。
【請求項３】
上記水性溶液が0.1〜10活性重量％の上記界面活性剤を含む請求項１記載の方法。
【請求項４】
Rがアルキル、アルコキシアルキル、アルキルアミノアルキル及びアルキルアミドアルキルである請求項１記載の方法。
【請求項５】
アルキル又はアルコキシ基が４〜10個の炭素原子を含有する請求項４記載の方法。
【請求項６】
Rがアルコキシアルキルである請求項４記載の方法。
【請求項７】
R1及びR2がメチルである請求項１記載の方法。
【請求項８】
YがCOO-である請求項１記載の方法。
【請求項９】
R4がR6OHである請求項１記載の方法。
【請求項１０】
R4がR5COOMである請求項１記載の方法。
【請求項１１】
R4が水素である請求項１記載の方法。
【請求項１２】
リサイクル及び再使用のために界面活性剤含有水性溶液から界面活性剤を分離及び回収する方法であって、当該溶液を限外濾過することを含んで成り、限外濾過される上記溶液のための界面活性剤として次式：
0004047380.tif 000018
{式中、Rはアルキル、アルキルアリールアルキル、アリールアルキル、アルキルアミノアルキル及びそのスルホン化誘導体、アルキルアミドアルキル又はアルコキシアルキルの基から選択され（ここで、アルキル基は１〜18個の炭素原子を含有し、アリール基は２個以下の縮合環であり、アルコキシ基は４〜18個の炭素原子を含有する）、ここでＲ基の全炭素原子含量は22個以下であり、あるいはRはさらに
R7−CH(OH)CH2−Q−
〔式中、R7は４〜18個の炭素原子を有するアルキル、アリール又はアルキルアリール基、あるいはアルコキシメチレン（ここでアルコキシ基は４〜８個の炭素原子を含有する）から選択され；Qは共有結合であるか又は：
0004047380.tif 000019
〔式中、R8は水素又は−CH2CH(OH)CH2SO3M（ここでMは水素又はアルカリ金属陽イオンである）であり、ｎは０又は１であり、Ｘは水素又は電子供与基である）である〕
であることができ；
R1及びR2は別々に１〜６個の炭素原子を有するアルキル及びそのヒドロキシ置換誘導体又はヒドロキシポリオキシエチレン、ポリオキシプロピレン、又は20個以下のエーテル結合を有するEO及びPOの混合ポリエーテルポリマーを表すか；あるいはR1及びR2は、窒素原子と一緒にモルホリン又はチオモルホリン環を形成するために、一緒になって−CH2CH2OCH2CH2−又は−CH2CH2SCH2CH2−であり；
R3は１〜４個の炭素原子を有するアルキル又はヒドロキシ置換アルキル基を表し；そして
YはCOO-又はSO3-を表す}
の表面活性有効量の界面活性剤、並びにその混合物及びその他の界面活性剤との混合物を用いることを特徴とする方法。
【請求項１３】
R1及びR2がメチルである請求項12記載の方法。
【請求項１４】
RがC4〜C10アルキル、アルキルアミドアルキル又はアルコキシアルキルである請求項12記載の方法。
【請求項１５】
R1及びR2がメチル以外であって、電子求引基で置換される請求項12記載の方法。
【請求項１６】
YがCOO-である請求項12記載の方法。
【請求項１７】
Rがアルコキシアルキル（ここでアルキル部分は３個の炭素原子を有する）であり、Qが共有結合であり、R3がヒドロキシプロピルである請求項12記載の方法。
【請求項１８】
リサイクル及び再使用のために界面活性剤含有水性溶液から界面活性剤を分離及び回収する方法であって、当該溶液を限外濾過することを含んで成り、限外濾過される上記溶液のための界面活性剤として次式：
0004047380.tif 000020
〔式中、Rはアルキル、アルキルアリールアルキル、アリールアルキル、アルキルアミノアルキル及びそのスルホン化誘導体、アルキルアミドアルキル又はアルコキシアルキルの基から選択され（ここで、アルキル基は１〜18個の炭素原子を含有し、アリール基は２個以下の縮合環であり、アルコキシ基は４〜18個の炭素原子を含有する）、ここでＲ基の全炭素原子含量は22個以下であり；
R4はR6OH、R5YM又は水素を表し；R5及びR6は別々に１〜４個の炭素原子を有するアルキル又はヒドロキシ置換アルキルを表し；ＹはCOO-又はSO3-を表し；
そしてMは水素又はアルカリ金属を表し、ｘは１又は２である〕
の表面活性有効量の界面活性剤、並びにその混合物及びその他の界面活性剤との混合物を用いることを特徴とする方法。
【請求項１９】
Rがアルコキシアルキルである請求項18記載の方法。
【請求項２０】
R4がR6OHである請求項18記載の方法。
【請求項２１】
R4がR5COOMである請求項18記載の方法。
【請求項２２】
R4が水素である請求項18記載の方法。
【請求項２３】
YがCOO-である請求項18記載の方法。
【請求項２４】
リサイクル及び再使用のために界面活性剤含有水性溶液から界面活性剤を分離及び回収する方法であって、当該溶液を限外濾過することを含んで成り、限外濾過される上記溶液のための界面活性剤として次式：
0004047380.tif 000021
〔式中、Rはアルキル、アルキルアリールアルキル、アリールアルキル、アルキルアミノアルキル及びそのスルホン化誘導体、アルキルアミドアルキル又はアルコキシアルキルの基から選択され（ここで、アルキル基は１〜18個の炭素原子を含有し、アリール基は２個以下の縮合環であり、アルコキシ基は４〜18個の炭素原子を含有する）、ここでＲ基の全炭素原子含量は22個以下であり；
R5及びR6は別々に１〜４個の炭素原子を有するアルキル又はヒドロキシ置換アルキルを表し；そして
Mは水素又はアルカリ金属を表し、ｘは１又は２である〕
の表面活性有効量の界面活性剤、並びにその混合物及びその他の界面活性剤との混合物を用いることを特徴とする方法。
【請求項２５】
Rがアルキル、アルコキシアルキル、アルキルアミノアルキル及びアルキルアミドアルキルであり、アルキル又はアルコキシ基が４〜10個の炭素原子を含有する請求項24記載の方法。
【請求項２６】
ｘが１である請求項24記載の方法。
【請求項２７】
R6が２個の炭素原子を有するアルキルを表す請求項24記載の方法。
【請求項２８】
R5が１又は２個の炭素原子を有するアルキルである請求項24記載の方法。
【請求項２９】
Ｒがアルキルアミドアルキルである請求項24記載の方法。
【請求項３０】
ＲがC4〜C10アルキルアミドエチルである請求項24記載の方法。
【請求項３１】
上記水性溶液が0.1〜10活性重量％の上記界面活性剤を包含する請求項24記載の方法。
【請求項３２】
上記水性溶液がセラミック支持体上の焼結金属酸化物である限外濾過膜を用いて限外濾過される請求項24記載の方法。
【請求項３３】
Rがアルキル、アルコキシアルキル、アルキルアミノアルキル又はアルキルアミドアルキルである請求項24記載の方法。
【請求項３４】
上記界面活性剤が一般式：
0004047380.tif 000022
〔式中、R7は４〜18個の炭素原子を有するアルキル、アリール又はアルキルアリール基、あるいはアルコキシ基が４〜８個の炭素原子を有するアルコキシメチレンから選択され；R1、R2及びR3は前記と同様であるが、但しアルキル基が２〜６個の炭素原子を有するアルキル基である場合には、アルキル基はそのβ炭素原子上で電子供与基に置換され；Qは共有結合であるか又は：
0004047380.tif 000023
（式中、R8は水素又は−CH2CH(OH)CH2SO3M（ここでMは水素又はアルカリ金属陽イオンである）であり；ｎは０又は１であり、Xは水素又は電子供与基である）である〕
で示される請求項12記載の方法。
【請求項３５】
Qが共有結合であり、R1及びR2がメチルであり、そしてR3がヒドロキシプロピルである、請求項34に記載の方法。
【発明の詳細な説明】
発明の背景
本発明は、限外濾過時に水性溶液からの改良界面活性剤回収を示す界面活性剤の予期せぬ発見に関する。
環境及び経済的見地から、水性副産物又は廃液から活性成分を取り出し、望ましくは再使用のために回収することは重要である。回収及びリサイクルは環境への汚染水の排出を低減又は排除するだけでなく、産業工程の全体的コストをも低減し得る。これは、界面活性剤が溶液の高価な成分である可能性があるので、それを含有する水性溶液を加工処理する場合に特に重要なことである。
高分子フィルターを用いようと、又は焼結金属／焼結金属酸化物フィルターを用いようと、限外濾過装置を用いて、水性溶液と関連したある種の廃棄物処理問題を克服し得る。界面活性剤を回収するに際してのこれらの方法の経済的問題は、慣用的界面活性剤の多くが透過物中に回収されないために、ひどく支障をきたしている。水性溶液から回収された界面活性剤を再循環させて再生使用する能力はそれにより有意に低減されるので、余儀なく界面活性剤を付加し戻して、溶液中の界面活性剤を元のレベルにしてしまう。これは、十分な経済性が達成され得ない場合、リサイクルの領域では重大な問題である。
廃液の限外濾過時の透過物中の水ベースのクリーニング系の有意の回収を請求する系が開示されている（米国特許第5,205,937号参照）が、既存の水ベースのクリーニング処方物の濾過可能性及び回収に関して不満の声が聞かれている。
米国特許第4,891,159号に開示されているようなある種のスルタイン界面活性剤は、強アルカリ性クリーニング溶液では塗料剥離組成物、硬質面クリーナー、ボトル洗浄組成物中に用いられて、低アルカリ性では洗濯及び皿洗い用洗剤並びにハンドクレンザー中に用いられて、有効な界面活性剤特性を提供する。しかしながら、これらの界面活性剤は、限外濾過ベースの界面活性剤分離及び回収系と一緒に用いられる場合に有意の利益を提供するとは何も教示されていない。
本発明は、ある群の界面活性剤を含有する界面活性剤含有水性組成物が限外濾過後の透過物中の界面活性剤回収の改良を意外にも提供するという知見を請求の範囲に含む。
本発明の要約
限外濾過した場合に透過物中の界面活性剤回収増大を特徴とする界面活性剤の透過物を生成する両性界面活性剤を含有する水性溶液の使用により、限外濾過時に界面活性剤回収増大が得られるということが、意外にも判明した。
本発明はさらに、供給溶液及び夾雑物を限外濾過膜、好ましくはセラミック支持体上の金属酸化物膜を通すことにより水性界面活性剤含有溶液から夾雑物を濾過する方法を提供する。
別の局面では、本発明は、溶液流をセラミック支持体上のマルチチャンネル焼結一体式金属／金属酸化物限外濾過膜に通して透過物界面活性剤回収を生じさせることによる、夾雑物、例えば油、グリース、ワックス、乳化滑剤を含有する水性溶液中の界面活性剤の分離方法に関する。焼結金属酸化物膜は、約50〜1000オングストロームの範囲の呼称孔寸法を有する。
本発明の詳細な説明
本発明は、リサイクル及び再生使用のための効率的且つ有効な組成物、並びに水性溶液からの界面活性剤の分離方法を提供する。本明細書中に後述する界面活性剤を含有する本発明の組成物が、限外濾過時の実質的回収に適合されるということが、意外にも見出された。本発明の利点を提供することが判明した界面活性剤は、次式：
0004047380.tif 000002
（式中、Ｒはアルキル、アルキルアリールアルキル、アリールアルキル、アルキルアミノアルキル及びそのスルホン化誘導体、アルキルアミドアルキル又はアルコキシアルキル、並びにそのヒドロキシ置換誘導体の基から選択される（ここで、アルキル基は約１〜約２２個の炭素原子を含有し、アリール基は２個以下の縮合環であり、アルコキシ基は４〜１８個、好ましくは４〜１０個の炭素原子を含有する）。この場合、Ｒ基の全炭素原子含量は約２２個以下である）。Ｒはブチル、ヘキシル、２−エチルヘキシル、オクチル、カプリル、カプリリル、ココヤシ油、獣脂等である。天然供給源からの置換基は混合炭素鎖長を含有するか、又は精製してアルキル基中の鎖長数を低減し得る。Ｒはアルキルアミドアルキル、例えばブチルアミドエチル又はカプリルアミドプロピル、ココヤシ油アミドプロピル、及びアルコキシアルキル、例えばココヤシ油オキシプロピル、デシルオキシプロピル、ヘキシルオキシメチル又はヘキシルオキシ−２−ヒドロキシ−プロピルであってもよい。Ｒはさらに、
ＶＩ．    Ｒ7−ＣＨ（ＯＨ）ＣＨ2−Ｑ−
であり得る。
Ｒ1及びＲ2は別々に約１〜約６個の炭素原子を有するアルキル鎖、好ましくはメチル、及びそのヒドロキシ置換誘導体又はヒドロキシポリオキシエチレン、ポリオキシプロピレン、又は２０個以下のエーテル結合を有するＥＯ及びＰＯの混合ポリエーテルポリマーを表すか；あるいはＲ1及びＲ2は、窒素原子と一緒にモルホリン又はチオモルホリン環を形成するために、ともに−ＣＨ2ＣＨ2ＯＣＨ2ＣＨ2−又は−ＣＨ2ＣＨ2ＳＣＨ2ＣＨ2−である。Ｒ3は１〜約４個の炭素原子を有するアルキル又はヒドロキシ置換アルキル基を表す；Ｒ4はＲ6ＯＨ、Ｒ5ＹＭ、好ましくはＲ5ＣＯＯＭ又は水素を表す（ここで、Ｒ6は１〜約４個、好ましくは２個の炭素原子を有する低級アルキル、及びソノヒドロキシ置換誘導体である）；Ｒ5は１〜約４個、好ましくは１又は２個の炭素原子を有するアルキル又はヒドロキシ置換アルキルである；ＹはＣＯＯ-又はＳＯ3-を表す；Ｍは水素及び／又はアルカリ金属、例えばナトリウム又はカリウムを表し、ｘは１又２である）
で表される界面活性剤、並びにその混合物及びその他の界面活性剤との混合物である。
好ましくは、発泡は濾過を難しくするので、界面活性剤は低又は非発泡性である。Ｉ式の化合物は一般にベタインと定義され、スルタインは十分公知の化合物であって、十分公知の方法で製造し得る。ベタインはトリメチルグリシンである。メチル基の１つを置換すると、ベタイン誘導体、普通はアルキルベタインが生じる。ベタインは両イオン性及び内部補償塩である。残り２つのメチル基は、例えばヒドロキシエチル基で置換されてジヒドロキシエチルアルキルグリシネートを生成する。
ベタインにおいて、ＲはＣ4〜Ｃ22アルキル、アルキルアミドアルキル又はアルコキシアルキルである。アルキル基又はその基の一部は、好ましくは約Ｃ4〜約Ｃ10である。Ｒ1及びＲ2は好ましくはメチルである。Ｒ1及びＲ2がメチルでない場合、それらは任意に電子求引基、例えばＯＨ、ＳＨ、ＣＨ3Ｏ又はＣＨ3Ｓである。
同様にカルボキシル基の代わりにスルホネート又はヒドロキシアルキルスルホネートを用いる物質は、スルタインと記載される。これらは十分公知の組成物である。
本発明に有効であることが判明しているスルタインの特定の基は、一般式：
0004047380.tif 000003
（式中、Ｒ7は約４〜約１８個の炭素原子を有するアルキル、アリール又はアルキルアリール基、あるいはアルコキシ基が約４〜約８個の炭素原子を有するアルコキシメチレンから選択され；Ｒ1及びＲ2は前記と同様であるが、但しアルキル基が約２〜約６個の炭素原子を有するアルキルである場合には、アルキル基はそのβ炭素原子上で電子供与基に置換される）で示される。Ｒ3は１〜約４個の炭素原子を有するアルキル又はヒドロキシ置換アルキル基を表す。Ｑは共有結合であるか又は：
0004047380.tif 000004
（式中、Ｒ8は水素又は−ＣＨ2ＣＨ（ＯＨ）ＣＨ2ＳＯ3Ｍ（ここでＭは水素又はアルカリ金属陽イオンである）であり、ｎは０又は１であり、Ｘは水素又は電子供与基、例えばＯＨ、ＳＨ、ＣＨ3Ｏ又はＣＨ3Ｓである）である。
典型的には、Ｒ7基は約４〜約１４個、普通は約４〜約８個の炭素原子を含有する。好ましくは、Ｒ7はアルコキシ基に約４〜約８個の炭素原子を有するアルコキシメチル、例えばブトキシメチル、ヘキシルオキシメチル、２−エチルヘキシルオキシメチル等である。Ｒ1及びＲ2は各々、好ましくはメチル、ヒドロキシエチル、２−ヒドロキシプロピル又はモルホリン環である。Ｑが共有結合でない場合、Ｘは好ましくは水素であり、ｎは好ましくは１である。Ｑは好ましくは共有結合である。特に好ましい基の化合物は、アルキルエチルヒドロキシプロピルスルタインと記載し得る。
これらの界面活性剤は、米国特許第4,891,159号にさらに詳細に説明されており、そこに開示された方法により調製し得る（この記載内容は、参照により本明細書中に含まれる）。
この群の界面活性剤は典型的には、高酸又はアルカリ含量を有する、特に相対的に高いアルカリ含量を有する、例えば5〜約50％、好ましくは約25〜約50％の水酸化ナトリウム又はカリウムを、あるいは強炭酸ナトリウムを含有する、あるいは強ケイ酸塩及びリン酸塩溶液と等価の水性溶液中に混入し得る。
本発明に用い得るこの種の化合物としては、主として次式で示されると考えられるのものが挙げられる：
0004047380.tif 000005
（式中、Ｒはラウリルミリスチウルアルコール混合物のグリシジルエーテルの残基を表す）。
ＩＩ及びＩＩＩ式には、好ましくはＲはアルキルアミドアルキルで、十分公知であり、十分公知の方法により製造し得るイミダゾリンと定義し得る多数の組成物がある。これらは、等電点以上の陰イオン性で、等電点以下の陽イオン性で、且つ等電範囲内の両イオン性であるので、真の両性界面活性剤である。これらの化合物は、イオン化又はプロトン化可能な少なくとも２つの部位、即ち電気陰性基として第三アミン、カルボキシレート又はスルホネート基を有する。
アルカリ性pHで本発明に用いられるようなアルキル両性アセテート又はプロピオネート、例えばココヤシ油又は獣脂は、下記に示されるような陰イオン性界面活性剤である：
0004047380.tif 000006
酸性pHでは、カルボキシレート基イオン化が抑制され、アミン基は余分の水素イオンによりプロトン化されて、その結果陽イオン物質となる：
0004047380.tif 000007
等電範囲では、両部位はイオン化され、両性イオンが生成される：
0004047380.tif 000008
同様の方法で、ＩＩＩ式の化合物は下記の好ましい化合物で説明されるようにpHによって異なるイオン形態となり得る：
アルキル両性ジカルボキシレート（例えばジアセテート及びジプロピオネート）
0004047380.tif 000009
ＩＩ式及びＩＩＩ式での化合物の種々のイオン的可能性としては、スルホン酸化誘導体、並びにカルボキシル化誘導体が挙げられる。
本発明のＩＩ式に含まれるものとしては、十分公知で且つpHによってイオン形態を変えるアミド及びイミドカルボキシレートがある。
アルキルアミノプロピオネート
0004047380.tif 000010
アルキルイミノジプロピオネート
0004047380.tif 000011
上記の化合物は、アミド基を有していないためイミダゾリン誘導物質とは異なり、窒素が四級化されていないためベタインとは異なる。これらのイオン性変動は、本発明に有用な化合物を定義する式に含まれるものとする。
本発明の界面活性剤含有溶液は、前記の界面活性剤の他に、例えばケイ酸塩、リン酸塩、ピロリン酸塩及びポリリン酸塩のようなその他の物質を、例えばナトリウム塩の形態で含有し得る。存在し得るその他の添加剤としては、１〜６個の炭素原子を有する低級アルコール、グリコール、グリコールエーテル、キレート化剤、増粘剤、例えばアミド、セルロース誘導体、ビルダー、例えばリン酸塩、、並びに金属イオン封鎖剤／緩衝剤及びポリアクリレートが挙げられる。いくつかの場合、腐食防止剤及びヒドロトロープを含めた付加的陰イオン性、非イオン性又は陽イオン性界面活性剤も存在し得る。発泡を低減するための薬剤も存在し得る。代替的界面活性剤としては、アルキル硫酸塩、アルキルスルホン酸塩、リン酸エステル、アルキルカルボン酸塩、ノニルフェノールエトキシレート、アルコールエトキシレート、エトキシル化脂肪酸アミド及びアルキル第四アンモニウム化合物が挙げられる。
典型的には、本発明にしたがって用いられる水性界面活性剤含有溶液は、溶液の重量の0.1〜40活性％、好ましくは約0.1〜10活性％の範囲で界面活性剤を含有し得る。一般的に希釈して用いるための濃縮溶液は、高いパーセンテージの、例えば約40活性重量％までの界面活性剤を含有し得る。
好ましくは、セラミック支持体上の高分子、セラミック又は金属／金属酸化物焼結フィルターを用いて、本発明の溶液を濾過し得る。例えば、限外濾過膜系は、供給タンク、金属酸化物膜、例えば酸化チタン又はジルコニウム膜から成り、一体式支持体上の１つ又はそれ以上のチャンネルを有する二酸化チタンを有する場合もある、任意に酸化イットリウム安定剤を含有するセラミック担体、例えばα−アルミナ上の分離膜ユニットを包含し得る。リサイクル及び再生使用のために透過物中に回収されるようフィルターに界面活性剤含有溶液を通しながら、操作時間を延長して最小堆積率で保留物中に汚れを濃縮させるために融剤を許容可能レベルに保持し得る。有効孔寸法は当業者に容易に確定されるが、しかし約1000オングストローム未満、好ましくは約500オングストローム未満の呼称孔寸法が用いられる。濾過速度は、フィルター孔寸法、圧力、温度等に依って変化し得る。
本明細書中で用いる場合、「夾雑物」という用語は、単独で又は混合物で、金属型押、二次成形、曲げ、研削仕上げ、孔あけ、機械加工及び研磨に用いられる油；低〜中分子炭化水素；パラフィン系汚れ；ワックス；石油；非塩化高粘性炭化水素；塩化及び硫化炭化水素；鉱油；及び植物油を包含する。さらにこの用語には、水性溶液に一部可溶性の物質、又は水中に安定マイクロエマルジョンを生成する物質、例えばポリエチレン及びポリプロピレングリコール、油−界面活性剤配合物、水溶性切削液、機械加工冷却液、不飽和モノ−、ジ−及びトリグリセリド、動物脂肪、脂肪酸及びエステルも含まれる。「夾雑物」という用語は、不溶性固体、例えば特定の界面活性剤含有水性溶液に溶解されない極微細構造物質粒子；無機；不活性又は元素固体粒子；及び金属酸化物粒子が含まれる。
以下の実施例により、本発明をさらに説明する。
実施例Ｉ
限外濾過膜フィルター  ＫＥＲＡＳＥＰ（販売元 Tech Sep）に通す前及び後に、pH１２での溶液中の界面活性剤の濃度を比較することにより、市販組成物に対して濾過性界面活性剤を評価した。表に記載したような活性を有する界面活性剤溶液２ガロンを調製し、濾過ユニットの作業タンク中に入れた。作業タンク溶液を加熱して、作業中は52 +/- 2℃に保持した。作業タンク溶液を膜を通して循環させた。入口圧を20psiに調整した。作業タンク溶液の濃度が常時一定であるように、保留物及び透過物を一周させて作業タンクに戻した。標本溶液を指定時間に透過物及び作業タンクから収集した。透過した界面活性剤のパーセンテージは、透過物濃度対作業タンク濃度の比で表された。表面張力測定法により、界面活性剤濃度を確定した。
0004047380.tif 000012
0004047380.tif 000013
0004047380.tif 000014
0004047380.tif 000015
表１、２及び３のデータから判るように、一般に約65％〜約99％という高率の本発明の界面活性剤組成物が限外濾過膜を通り抜け、透過物中で捕獲される。表１、２及び３のデータは、本発明の界面活性剤を含有する水性界面活性剤含有溶液の透過物が再生使用のために有効に再循環され得ることを立証する。界面活性剤のこの高回収率は、そうでなければ界面活性剤が回収されずに起きる環境に及ぼす圧力を低減する。
これに対比して、表４のデータは、市販の水性界面活性剤含有溶液からの界面活性剤は少量が限外濾過膜を通過して透過物の一部になったに過ぎないことを示す。十分量の市販溶液を用いて、前と同様に作業溶液を調製して、「現状のまま」のpHで約３％の初期濃度（算定）を提供した。市販物質（Brulin 63Gと同定）は、キシレンスルホン酸ナトリウム、リン酸カリウム、ケイ酸ナトリウム、並びに約Ｃ10及び約50 molのＥＯ／ＰＯ（約32molＥＯ／18 molＰＯ、無作為分配）のアルコール部分を有する２つの非イオン性界面活性剤（それぞれ約2750及び約910mol重量）の配合物を含有すると考えられる。表４のデータを比較すると、界面活性剤のほとんどが作業タンク中に残存し、10.5％がウルトラフィルターを通り抜けて透過物中に保持された。
その好ましい実施態様に関連して本発明を説明してきたが、本明細書を読めば、当業者には種々の修正は明らかになると理解される。したがって、本明細書中に開示された本発明は添付の請求の範囲を逸脱しない限り、このような修正を網羅するものと理解される。